(57)【要約】【課題】従来の情報表示装置では、ＰＤＰの機種によって入力映像切り替えコマンドが異なり、機種変更の度に監視装置のプログラムを変更しなければならず不便であるという問題点があり、監視装置のプログラムを変更することなく容易にＰＤＰの機種変更に対応して、表示制御装置のリセット時にＰＤＰの入力映像を切り替える情報表示装置を提供する。【解決手段】表示制御装置１が、ＰＤＰ３との通信に必要な通信条件と通信コマンド等のパラメータを含むＰＤＰ情報ファイルを作成して監視装置２に送信し、監視装置２のデータ送受信部２１が受信したＰＤＰ情報ファイルに基づいてＰＤＰ３の制御を行うためのパラメータを設定し、表示制御装置監視部２２が表示制御装置１の異常を検出すると、データ送受信部２１が設定されたパラメータに従って指定の通信条件でコマンドを送信してＰＤＰ３の制御を行う情報表示装置である。【選択図】　　　　図２
2004126171.tif 000002
【特許請求の範囲】
【請求項１】
情報を表示する表示部と、
サーバからネットワークを介して受信した情報を前記表示部に表示させる信号を出力する表示制御部と、
前記表示部に前記表示制御部からの信号とは別の映像信号を出力するビデオ装置と、
前記表示制御部の状態を監視して、異常検出時には、前記表示部への入力を前記ビデオ装置からの映像信号に切り替えると共に前記表示制御部をリセットする監視部とを備えた情報表示装置であって、
前記表示制御部が、表示部の機種に応じた通信条件と送信コマンドとを含むデータを入力する入力手段を備え、前記入力手段から、表示部の機種に応じた通信条件と送信コマンドを含むデータが入力されると、前記データを含むファイルを前記監視部に送信する表示制御部であり、
前記監視部が、前記ファイルを受信すると、前記ファイルに含まれる通信条件及びコマンドをパラメータとして登録しておき、前記表示制御部の異常検出時に、前記パラメータを用いて、表示部の機種に応じた通信条件に従って前記ファイルに含まれるコマンドを前記表示部に送信して前記表示部の表示を切り替える監視部であることを特徴とする情報表示装置。
【請求項２】
監視部と表示制御部とを一体に形成したことを特徴とする請求項１記載の情報表示装置。
【発明の詳細な説明】
【０００１】
【発明の属する技術分野】
本発明は、装置の状態を監視して異常時にリセットを行う監視装置を備えた情報表示装置に係り、特に表示部の機種が変更になった場合にも監視装置のプログラムを変更することなく表示部の制御を行うことができ、利便性を向上させることができる情報表示装置に関する。
【０００２】
【従来の技術】
情報表示装置は、例えば証券会社の営業支店等に複数設けられ、本店等に設けられたサーバからネットワークを介して送信されて受信したコンテンツや、記憶媒体から読み出したデータを、表示スケジュールに従って表示するものである。
【０００３】
従来の情報表示装置の構成について図７を用いて説明する。図７は、従来の情報表示装置の構成ブロック図である。
図７に示すように、従来の情報表示装置としては、情報を表示する表示部としてのＰＤＰ（Ｐｌａｓｍａ　Ｄｉｓｐｌａｙ　Ｐａｎｅｌ）３と、通信回線を介してコンテンツを受信してＰＤＰ３に出力し、表示制御を行う表示制御装置１′と、表示制御装置１′を監視する監視装置２′と、ＰＤＰ３にビデオ信号を出力するビデオ装置４とから構成されている。
【０００４】
更に、表示制御装置１′は、通信回線を介してサーバとのデータ送受信を行い、また、監視装置２′とシリアル回線で接続してデータ送受信を行い、プリンタポートを介して監視装置２′にポーリングを送信するデータ送受信部１１を備えている。
また、監視装置２′は、表示制御装置１′又はＰＤＰ３とシリアル回線を介してデータの送受信を行うデータ送受信部２１′と、表示制御装置１′が正常に動作しているかどうかを監視する表示制御装置監視部２２と、表示制御装置１′に対する電源供給のオン／オフを制御する電源制御部２３とを備えている。
【０００５】
また、ＰＤＰ３は、表示用データとして、表示制御装置１′からの信号と、ビデオ４からのビデオ信号が入力されるようになっており、切替スイッチ（図示せず）によりいずれか一方のみを入力して表示を行うものであるが、通常は表示制御装置１′からのデータを入力して表示を行うようになっている。
【０００６】
上記従来の情報表示装置における表示制御装置１′を監視する動作について図７を用いて説明する。
表示制御装置１′は、正常動作中には、データ送受信部１１からプリンタポートを介して監視装置２′に定期的にポーリングを送出する。監視装置２′の表示制御装置監視部２２は、予め設定された一定時間を計時するタイマを備え、ポーリングを受信すると表示制御装置１′が正常であるとしてタイマをリセットする。
【０００７】
表示制御装置１′に何らかの異常が発生してポーリングを送信できなかった場合、表示制御装置監視部２２のタイマがタイムアウトして、表示制御装置監視部２２は、データ送受信部２１′に、ＰＤＰ３に対する入力映像切り替えコマンドを送信するよう指示を出力する。そして、データ送受信部２１が、監視装置２′内部に予め記憶されている入力映像切り替えコマンドを、予め設定されている通信手順でＰＤＰ３に出力する。
ＰＤＰ３は、入力映像切り替えコマンドを受信すると、入力切り替えスイッチ（図示せず）をビデオ４側にしてビデオ信号を入力し、ビデオ信号に基づいた表示を開始する。
【０００８】
それと共に、監視装置２′の電源制御部２３は、表示制御装置１′への電源供給を一旦ＯＦＦにしてから再びＯＮにするリセット制御を行う。これにより、表示制御装置１′は、再起動を行い、正常動作に復帰できるようになっている。
【０００９】
このように、表示制御装置１′の電源をＯＦＦにする前に、入力映像切り替えコマンドにより、ＰＤＰ３の表示をビデオ映像に切り替えて、表示制御装置１′の再起動時に再起動画面がＰＤＰ３に出力されるのを防ぐようにしているものである。
尚、表示制御装置１′が正常動作に復帰してポーリングを受信すると、監視装置２は、再びＰＤＰ３に入力映像切り替えコマンドを出力して、ＰＤＰ３がこれに基づいて入力信号を切り替えて、表示制御装置１からの信号を入力するようになる。
【００１０】
従来の情報表示に関する技術としては、一方の表示制御手段の異常が検出された時には、他方の表示制御手段からの表示信号を切り替えて表示手段に出力するもの（例えば、特許文献１参照）や、エラーウィンドウの発生を監視して、エラーの軽重度の判定に基づいてエラーウィンドウを終了させる又はパソコンを再起動させるもの（例えば、特許文献２参照）や、異常が発生していない状況での監視時のウィンドウ表示と、異常が発生したときの監視時のウィンドウ表示にそれぞれ異なる内容のメッセージを表示し、更に異常発生時に拝上に関連したメッセージを自動的にウィンドウに表示するもの（例えば、特許文献３参照）や、同期合わせ処理中の画像の乱れを故障と誤解されないように、表示の抑制処理はバックライトのオフや表示画面の色の固定で行うもの（例えば、特許文献４参照）等があった。
【００１１】
【特許文献１】
特開２００２−４５６５０２公報
【特許文献２】
特開２０００−１０７９９公報
【特許文献３】
特開平５−２８３８０号公報
【特許文献４】
特開平６−１３０９０６号公報
【００１２】
【発明が解決しようとする課題】
しかしながら、従来の情報表示装置では、ＰＤＰの機種によって入力映像切り替えコマンドが異なるため、新機種を導入する度に監視装置のプログラムを変更しなければならず、不便であるという問題点があった。
【００１３】
本発明は上記実情に鑑みて為されたもので、監視装置のプログラムを変更することなく容易にＰＤＰの機種変更に対応して、表示制御装置のリセット時にＰＤＰの入力映像を切り替えることができ、利便性を向上させることができる情報表示装置を提供することを目的とする。
【００１４】
【課題を解決するための手段】
上記従来の問題点を解決するための本発明は、情報を表示する表示部と、サーバからネットワークを介して受信した情報を表示部に表示させる信号を出力する表示制御部と、表示部に表示制御部からの信号とは別の映像信号を出力するビデオ装置と、表示制御部の状態を監視して、異常検出時には、表示部への入力をビデオ装置からの映像信号に切り替えると共に表示制御部をリセットする監視部とを備えた情報表示装置であって、表示制御部が、表示部の機種に応じた通信条件と送信コマンドとを含むデータを入力する入力手段を備え、入力手段から、表示部の機種に応じた通信条件と送信コマンドを含むデータが入力されると、データを含むファイルを監視部に送信する表示制御部であり、監視部が、当該ファイルを受信すると、ファイルに含まれる通信条件及びコマンドをパラメータとして登録しておき、表示制御部の異常検出時に、パラメータを用いて、表示部の機種に応じた通信条件に従って当該ファイルに含まれるコマンドを表示部に送信して表示部の表示を切り替える監視部である情報表示装置としており、表示部の機種が変更された場合でも、監視部のプログラム全体を変更することなく、簡単なパラメータ入力だけで新機種の表示部に対応した表示切り替えの制御を行うことができ、プログラム修正のコスト及び時間を低減し、利便性を向上させることができる。
【００１５】
【発明の実施の形態】
本発明の実施の形態について図面を参照しながら説明する。
尚、以下で説明する機能実現手段は、当該機能を実現できる手段であれば、どのような回路又は装置であっても構わず、また機能の一部又は全部をソフトウェアで実現することも可能である。更に、機能実現手段を複数の回路によって実現してもよく、複数の機能実現手段を単一の回路で実現してもよい。
【００１６】
本発明に係る情報表示装置は、表示制御装置の入力部からＰＤＰの通信条件や通信コマンドをパラメータとして入力して、監視装置に送信し、監視装置で受信したパラメータを記憶しておき、予め備えられている入力映像切り替えのプログラムに記憶したパラメータを設定して、表示制御装置の異常時には、設定したパラメータを用いてＰＤＰと通信を行ってＰＤＰの入力映像切り替えを制御するようにしているので、ＰＤＰの新機種が導入された場合でも、監視装置全体の処理プログラムを修正しなくてもパラメータの設定を変更するだけで機種変更に対応することができ、プログラム修正のコストを低減し、利便性を向上させることができるものである。
【００１７】
本発明の実施の形態に係る情報表示装置が含まれる情報表示システムについて図１を用いて説明する。図１は、本発明の実施の形態に係る情報表示装置が含まれる情報表示システムの概略構成ブロック図である。
本発明の情報表示装置が含まれる情報表示システムは、ユーザ毎にコンテンツ画面（外部ニュース等含む）・表示スケジュール・稼動パターンを作成したり、それらのデータの配信及び各表示装置の状態管理を一つの拠点から行う情報表示システムであって、図１に示すように、情報表示システムは、本店やセンター等に設けられ、情報を配信するサーバ２０と、サーバ２０にネットワーク３０を介して接続され、営業店等に設けられた複数の情報表示装置１０とを備えており、更に、サーバ２０は、ルータを介して情報ベンダーネットワーク５０から取得した情報を配信する外部情報データサーバ４０に接続されている。
【００１８】
各構成部分について具体的に説明する。
サーバ２０は、本店やセンター等に設けられ、外部情報データサーバ４０から取得した情報や入力部から入力された情報に基づく表示コンテンツの作成や、各情報表示装置１０における表示スケジュールの設定や、表示データの自動配信処理を行うものである。そして、サーバ２０は、表示コンテンツを複数の情報表示装置１０へ同報で配信するようになっている。
外部情報データサーバ４０は、ルータを介して情報ベンダーネットワーク５０に接続され、ニュース等の各種の情報を取得して、サーバ２０に配信するものである。
【００１９】
情報表示装置１０は、営業店毎に通常複数設けられており、ＨＵＢを介してネットワーク３０に接続され、サーバ２０から配信されたコンテンツを受信して、表示対象となっているコンテンツデータを設定された表示スケジュールに従って表示するものである。
表示スケジュールは、サーバ２０において設定され、予めサーバ２０から送信されて情報表示装置１０に記憶されている。
また、表示されるコンテンツには、文字・グラフィック・音声・動画・静止画・外部ニュース等のデータが含まれるものである。
【００２０】
次に、本発明の実施の形態に係る情報表示装置１０の構成について図２を用いて説明する。図２は、本発明の実施の携帯に係る情報表示装置１０（本装置）の構成ブロック図である。
図２に示すように、本装置は、図７に示した従来の情報表示装置とほぼ同様の構成であり、コンテンツデータを表示する表示部としてのＰＤＰ（Ｐｌａｓｍａ　Ｄｉｓｐｌａｙ　Ｐａｎｅｌ）３と、通信回線を介してサーバ２０から送信されたデータを受信して蓄積し、スケジュールに従ってＰＤＰ３に出力する表示制御を行う表示制御装置１と、表示制御装置１の動作を監視し、異常時にリセット制御を行う監視装置２と、ビデオ信号を出力するビデオ４とから構成されている。これらの内、ＰＤＰ３と、ビデオ４とは従来と同様であるため説明を省略するが、ＰＤＰ３は、新しい機種であるものとする。
【００２１】
次に、本装置の特徴部分について具体的に説明する。
表示制御装置１は、請求項に記載した表示制御部に相当するものであり、基本的な構成及び動作は図７に示した従来の表示制御装置１′と同様であり、通信回線を介してサーバ２０から受信したデータや、記憶媒体から入力されたデータをＰＤＰ３に出力してＰＤＰ３の表示制御を行い、それと共に従来と同様にデータ送受信部１１からプリンタポートを介して監視装置２に対してポーリングを定期的に送信するものである。
【００２２】
また、表示制御装置１は、本装置の特徴として、入力部（図示せず）から新たに導入されたＰＤＰ３と監視装置２とが通信を行う際に用いられる通信条件や、通信コマンドを通信パラメータとして入力可能としており、更に、設定された通信条件や通信コマンドを記憶部（図示せず）でテキストファイルとして記憶して、監視装置２に送信するものである。
【００２３】
また、図２に示すように、監視装置２は、請求項に記載した監視部に相当するものであり、データ送受信部２１と、表示制御装置監視部２２と、電源制御部２３と、記憶部２４とを備えている。この内、表示制御装置監視部２２と、電源制御部２３とは、従来と同様の構成及び動作となっている。
【００２４】
データ送受信部２１は、従来と同様に、シリアル回線を介して表示制御装置１とのデータ送受信及びＰＤＰ３とのデータ送受信を行うものであり、また、表示制御装置監視部２２からの指示を受けて、ＰＤＰ３に入力映像切り替えコマンドを送出するものである。
それと共に、本装置の特徴として、データ送受信部２１は、表示制御装置１から「ＰＤＰ情報ファイル」を受信した場合に、記憶部２４に記憶するものであり、また、記憶部２４に記憶されている「ＰＤＰ情報ファイル」の情報に基づいてＰＤＰの入力映像切り替え制御のためのパラメータを設定し、これに従ってＰＤＰ３との通信を行うものである。ここで、本装置の監視装置２は、予め、ＰＤＰ３に対する通信時には記憶部２４のＰＤＰファイルに記憶されている通信方式やコマンドをパラメータとして設定して通信を行うよう、プログラムされているものである。データ送受信部２１とＰＤＰ３とのやり取りについては後で詳細に説明する。
【００２５】
表示制御装置監視部２２は、従来と同様に、表示制御装置１のプリンタポートから定期的にポーリングを受信して、表示制御装置１の動作が正常に行われているかどうかを監視するものであり、また、従来と同様に、異常時には、ＰＤＰ３に入力映像切り替えコマンドを送出するよう、データ送受信部２１に指示を出力し、電源制御部２３に表示制御装置１の電源をＯＦＦ／ＯＮして、リセットするよう指示を出力するものである。
【００２６】
電源制御部２３は、表示制御装置監視部２２からの指示に従って、表示制御装置１の電源をＯＦＦ／ＯＮするものである。
また、記憶部２４は、入力映像切替制御のプログラム等、監視装置２における処理プログラムを記憶すると共に、データ送受信部２１によって登録された「ＰＤＰ情報ファイル」を記憶しているものである。
【００２７】
次に、本装置における新機種のＰＤＰとの通信方法及び監視時の動作について図１及び図３を用いて説明する。図３は、本装置における新機種のＰＤＰとの通信方法を示す説明図である。
図３に示すように、本装置の表示制御装置１は、当該装置に接続された新機種のＰＤＰ３の通信条件及び通信コマンドを設定するための入力画面を備えており、入力部（図示せず）からパラメータ設定の指示が入力された場合に、入力画面を表示するようになっている。
【００２８】
新しい機種のＰＤＰ３が情報表示装置１０に導入された場合には、ユーザが、表示制御装置１に入力画面を表示させて、新機種名とそれに対応する通信条件、通信コマンド及び送信順番を入力すると、表示制御装置１は、入力されたデータをテキストデータの「ＰＤＰ情報ファイル」として記憶部（図示せず）に登録し、記憶部で記憶しておく。
尚、ＰＤＰ情報ファイルは、表示制御装置１で手動入力したものに限らず、記憶媒体から読み込んだり、ネットワークを介して受信したものであってもよく、手作業で入力した場合と同様に記憶部に登録可能である。
【００２９】
そして、表示制御装置１は、監視装置２のアプリケーション起動前（例えば装置の電源投入時）に、シリアル回線を介して監視装置２のデータ送受信部２１にＰＤＰ情報ファイルを送信する。
【００３０】
監視装置２では、データ送受信部２１がＰＤＰ情報ファイルを受信すると、入力映像切り替えコマンド送信時に記憶したパラメータを用いて送受信可能なように、記憶部２４にＰＤＰ情報ファイルに含まれるパラメータを設定しておく。これにより、監視装置２にＰＤＰの新機種に対応する通信方式、コマンド、送信順番の情報が用意されたことになる。
【００３１】
そして、従来と同様に、監視装置２の表示制御装置監視部２２において、一定時間表示制御装置１からのポーリングを受信せずにタイムアウトした場合には、表示制御装置監視部２２が、データ送受信部２１に、ＰＤＰ３に対して入力映像切り替えコマンドを送出するよう指示を出力する。データ送受信部２１がこの指示を受信すると、パラメータに基づいて、新機種に対応して記憶されている通信方式、コマンド、送信順番に従ってＰＤＰ３と通信を行うようになっている。
【００３２】
これにより、新機種のＰＤＰが導入されても、表示制御装置１から簡単なパラメータの入力を行えば、監視装置２全体の処理プログラムを変更することなく、新機種に適した入力映像切り替えコマンドを監視装置２から送信することができるものであり、電源制御部２３が表示制御装置１をリセットする際に、ＰＤＰ３の入力をビデオ４からのビデオ信号に切り替えて表示させることができるものである。
【００３３】
また、新機種以外にも、今までとは異なる機種のＰＤＰが接続された場合でも、同様に表示制御装置１から当該機種に対応するパラメータを含むＰＤＰ情報ファイルを送信して、監視装置２でパラメータを設定しておけば、容易に異なる機種のＰＤＰに対応した表示切り替え制御を行うことができ、利便性を向上できるものである。
【００３４】
次に、表示制御装置１で作成されるＰＤＰ情報ファイルの例について図４を用いて説明する。図４は、ＰＤＰ情報ファイルの内容の一例を示す説明図である。ＰＤＰ情報ファイルは、ＰＤＰの機種名に対応して、当該ＰＤＰとの通信を行うために必要な情報が記載されているテキストファイルであり、図４の例では、通信条件と、送信コマンドとその順番、受信コマンドとが記載されている。尚、図４の例のように、そのときに接続されているＰＤＰに対応したＰＤＰファイルのみを作成する場合には「機種名」は省略しても構わない。
【００３５】
そして、監視装置２が、テキストデータのＰＤＰファイルを受信して、データ送受信部２１が、記憶部２４にＰＤＰファイルのデータに含まれる通信条件のパラメータを設定し、更に、表示制御装置１の異常時には、ＰＤＰファイルに基づいて設定されたパラメータに従って、指定された通信条件で指定されたコマンドを送信するようになっている。
尚、送信コマンドを、「入力映像切り替え」ではなく、「電源ＯＦＦ」として、リセット時にＰＤＰの電源をオフにするよう制御しても構わない。
【００３６】
次に、監視装置２とＰＤＰ３との具体的な通信手順について図５を用いて説明する。図５は、監視装置２からＰＤＰ３に入力映像切り替えコマンドを送信する際の通信手順を示すものであり、通信が正常に行われた場合の説明図である。
図５に示すように、表示制御装置監視部２２からデータ送受信部２１に入力映像切り替えコマンドの送信指示が入力されると、監視装置２のデータ送受信部２１は、ＰＤＰ３に送信コマンド１（ＳＴ）を送信し（１００）、通信が開始される。ＰＤＰ３でこれを受信すると、受信コマンド１（ＹＥＳ）を返信する（１０２）。
【００３７】
ＰＤＰ３からの受信コマンド１を受信すると、監視装置２は、送信コマンド２（ＶＣＨ）を送信し（１０４）、ＰＤＰ３が送信コマンド２を正常に受信すると、入力映像をビデオ側に切り替えて、表示をビデオにし、受信コマンド２（ＹＥＳ）を監視装置２に送信する（１０６）。
【００３８】
そして、監視装置２は、送信コマンド３（ＥＮ）を送信し（１０８）、ＰＤＰ３でこれを受信すると、ＰＤＰ３は、受信コマンド３（ＹＥＳ）を返送し（１１０）、通信を終了する。このようにして、監視装置２とＰＤＰ３との通信が正常に行われた場合のやり取りが行われるものであり、通信が正常に行われた場合にはＬＯＯＰは行わないものである。
また、表示制御装置１が正常動作に復帰して、監視装置２がポーリングを受信するようになった場合、従来と同様に、監視装置２は、ＰＤＰ３の表示を再び同様の処理により表示制御装置１に切り替える制御を行うようになっている。
【００３９】
次に、監視装置２とＰＤＰ３との通信が異常であった場合の通信手順について図６を用いて説明する。図６は、監視装置２とＰＤＰ３との通信が異常であった場合の通信手順を示す説明図である。
図６に示すように、監視装置２が送信コマンド１（ＳＴ）を送信して（２００）、ＰＤＰ３がそれに対して受信コマンド１（ＹＥＳ）を返信する（２０２）。すると、監視装置２が送信コマンド２（ＶＣＨ）を送信し（２０４）、ＰＤＰ３が送信コマンド２を正常に受信できなかった場合には、ＰＤＰ３は、受信コマンド２（ＮＯ）を返信する（２０６）。
【００４０】
監視装置２は、受信コマンド２（ＹＥＳ）以外のデータが返信された場合には、送信コマンド４（ＬＯＯＰ３）を実行して、送信コマンド１から再びやり直し（リトライ）、図５又は図６に示した手順でやり取りを行う。但し、リトライが３回失敗した場合にはそのまま処理を終える。この場合にはＰＤＰ３の入力映像の切り替えは行われないことになる。
このようにして、本装置における監視装置２とＰＤＰ３との通信が行われるものである。
【００４１】
本発明の実施の形態に係る情報表示装置によれば、表示制御装置１が、ＰＤＰ３と通信を行うのに必要な通信条件と、送信コマンド、受信コマンド及び送信順のパラメータが入力されると、これらの情報を含むＰＤＰ情報ファイルをテキストファイルとして作成して監視装置２に送信し、監視装置２のデータ送受信部２１が受信したＰＤＰ情報ファイルを記憶部メモリ装置２４に記憶すると共にＰＤＰ情報ファイルに基づいて通信条件等のパラメータを設定し、監視装置２の表示制御装置監視部２２が表示制御装置１の異常を検出した場合に、データ送受信部２１が設定されたパラメータに従って、指定されたコマンドを指定された通信条件で且つ指定された順に送信するようにしているので、新機種のＰＤＰ３が導入された場合でも、監視装置２は表示制御装置１から送信された新機種のＰＤＰ３に適した通信方式及びコマンドに従ってＰＤＰ３と通信することができ、監視装置２のプログラムを大幅に修正することなく、表示制御装置１のリセット時にＰＤＰ３に入力映像切り替えコマンドを送信して表示をビデオに切り替えることができ、プログラム修正のコストと時間を低減することができ、利便性を向上させることができる効果がある。
【００４２】
また、本装置では表示制御装置１と監視装置２とをそれぞれ別々の装置としているが、監視装置２に設けた手段を表示制御装置１の内部に設けて一体に形成しても構わない。
この場合、情報表示装置１内部に、装置の状態を監視する監視手段（表示制御装置監視部２２に相当する）と、電源をＯＦＦ／ＯＮしてリセットするリセット手段（電源制御部２３に相当）と、ＰＤＰ制御手段（データ送受信部２１に相当）を設け、更に、ＰＤＰ３とシリアル通信を行うデータ送受信部を設けておく。
【００４３】
そして、新機種のＰＤＰが導入された場合には、上述した例と同様にＰＤＰ情報ファイルを作成して記憶部（図示せず）に記憶すると、ＰＤＰ制御手段が、記憶部に記憶されたＰＤＰ情報ファイルを参照して通信条件やコマンドのパラメータを設定し、監視手段で表示制御装置の状態が異常であることを検出した場合に、ＰＤＰ制御手段が、ＰＤＰとの送受信を行うデータ送受信部を介して設定された通信条件及び通信手順に従って設定されたコマンドを送受信して、ＰＤＰの入力映像信号を切り替える。そして、リセット手段が電源をＯＦＦ／ＯＮしてリセットを行う。
このようにして、表示制御装置と監視装置とが一体に形成された場合の動作が行われるものである。
【００４４】
一体に形成した場合にも、上述した本装置と同様に、新機種のＰＤＰ３が導入された場合でも、新機種のＰＤＰに応じた通信方式及びコマンドを入力して設定することにより、新機種のＰＤＰに適した通信方式及びコマンドを用いてＰＤＰと通信することができ、プログラムを大幅に修正することなく表示制御装置のリセット時にＰＤＰの表示を切り替えることができ、プログラム修正のコストと時間を低減することができ、利便性を向上させることができる効果がある。
【００４５】
【発明の効果】
本発明によれば、表示制御部の状態を監視して、異常検出時には、表示部への入力をビデオ装置からの映像信号に切り替えると共に表示制御部をリセットする監視部を備えた情報表示装置であって、表示制御部が、表示部の機種に応じた通信条件と送信コマンドとを含むデータを入力する入力手段を備え、入力手段から、表示部の機種に応じた通信条件と送信コマンドを含むデータが入力されると、データを含むファイルを監視部に送信し、監視部が、当該ファイルを受信すると、ファイルに含まれる通信条件及びコマンドをパラメータとして登録しておき、表示制御部の異常検出時に、パラメータを用いて、表示部の機種に応じた通信条件に従って当該ファイルに含まれるコマンドを表示部に送信して表示部の表示を切り替える情報表示装置としているので、表示部の機種が変更された場合でも、監視部のプログラム全体を変更することなく、簡単なパラメータ入力だけで新機種の表示部に対応した表示切り替えの制御を行うことができ、プログラム修正のコスト及び時間を低減し、利便性を向上させることができる効果がある。
【図面の簡単な説明】
【図１】本発明の実施の形態に係る情報表示装置が含まれる情報表示システムの概略構成ブロック図である。
【図２】本発明の実施の携帯に係る情報表示装置１０（本装置）の構成ブロック図である。
【図３】本装置における新機種のＰＤＰとの通信方法を示す説明図である。
【図４】ＰＤＰ情報ファイルの内容の一例を示す説明図である。
【図５】監視装置２からＰＤＰ３に入力映像切り替えコマンドを送信する際の通信が正常に行われた場合の説明図である。
【図６】監視装置２とＰＤＰ３との通信が異常であった場合の通信手順を示す説明図である。
【図７】従来の情報表示装置の構成ブロック図である。
【符号の説明】
１…表示制御装置、　２…監視装置、　３…ＰＤＰ、　４…ビデオ、　１０…情報表示装置、　１１…データ送受信部、　２０…サーバ、　３０…ネットワーク、　４０…外部情報データサーバ、　５０…情報ベンダーネットワーク、　２１…データ送受信部、　２２…表示制御装置監視部、　２３…電源制御部、　２４…記憶部
【図１】
2004126171.tif 000003
【図２】
2004126171.tif 000004
【図３】
2004126171.tif 000005
【図４】
2004126171.tif 000006
【図５】
2004126171.tif 000007
【図６】
2004126171.tif 000008
【図７】
2004126171.tif 000009